(57)【要約】      （修正有）【課題】接続対象物を容易に位置決めすることができるコネクタを提供する。【解決手段】コネクタ２０１をプリント配線基板２１６に実装するには、予めプリント配線基板２１６の上面に両面粘着テープ２５２を貼り付けておく。両面粘着テープ２５２にはプリント配線基板２１６の端子部１６ａを露出させるための４つの孔が形成されている。コネクタ２０１の位置決めピン２２３をプリント配線基板２１６の位置決め孔２１６ｂに挿入する。このとき、コネクタ１はプリント配線基板２１６に対して位置決めされる。次に、コネクタの下面を両面粘着テープ２５２に押し付ける。これにより、プリント配線基板２１６に貼り付けられ、コネクタ２０１がプリント配線基板２１６に実装される。コネクタ２０１をプリント配線基板に対して簡単かつ正確に位置決めすることができる。【選択図】        図１８
2006318726.tif 000002
【特許請求の範囲】
【請求項１】
２つの接続対象物を電気的に接続するコネクタにおいて、
絶縁プレートと、
前記絶縁プレートの一方の面に設けられ、この面上に配置された前記２つの接続対象物のうちの一方の接続対象物の位置を決める第１突起部と、
前記絶縁プレートの一方の面から他方の面へ設けられ、前記２つの接続対象物の端子部を導通させるための複数の導電路を有する接続用フィルムと
を備えていることを特徴とするコネクタ。
【請求項２】
前記ベースプレートの他方の面に設けられ、前記２つの接続対象物のうちの他方の前記接続対象物に設けられた位置決め穴に挿入可能な第２突起部
を備えていることを特徴とする請求項１記載のコネクタ。
【請求項３】
前記第１突起部が前記一方の接続対象物の平面形状に対応する四角形の枠体であることを特徴とする請求項１又は２記載のコネクタ。
【請求項４】
前記第２突起部が複数のピンであることを特徴とする請求項２又は３記載のコネクタ。
【請求項５】
前記絶縁プレートの一方の面と前記接続用フィルムの導電路の一端部との間、前記絶縁プレートの他方の面と前記接続用フィルムの導電路の他端部との間にそれぞれ配置される弾性体
を備えていることを特徴とする請求項１〜４のいずれか１項記載のコネクタ。
【請求項６】
前記絶縁プレートの両方の面に両面粘着テープが配置されていることを特徴とする請求項１〜５のいずれか１項記載のコネクタ。
【請求項７】
前記接続用フィルムはほぼ四角形の絶縁フィルムと、この絶縁フィルムの一方の面に形成された前記複数の導電路とで構成され、
前記複数の導電路は前記絶縁フィルムの四隅に対角線と平行に配置されている
ことを特徴とする請求項１〜６のいずれか１項記載のコネクタ。
【請求項８】
前記弾性体が絶縁フィルムを介して前記絶縁プレートの両方の面上に保持されていることを特徴とする請求項５〜７のいずれか１項記載のコネクタ。
【発明の詳細な説明】
【技術分野】
【０００１】
この発明はコネクタに関し、特に接続対象物の位置決めを容易に行なえるコネクタに関する。
【背景技術】
【０００２】
従来、ソケット本体と第１軟質弾性体と第２軟質弾性体と２つのフレキシブル回路基板とホルダーとを備える電子部品検査用ソケット装置が知られている（下記特許文献１参照）。
【０００３】
ソケット本体はほぼ板状である。
【０００４】
第１軟質弾性体はソケット本体の上面の左右両側に埋設されている。
【０００５】
第２軟質弾性体はソケット本体の下面の左右両側に埋設されている。
【０００６】
各フレキシブル回路基板の一端部に複数の第１接触電極が位置し、その他端部に複数の第２接触電極が位置する。フレキシブル回路基板はＵ字状に折り曲げられ、第１接触電極は第１軟質弾性体上に置かれ、第２接触電極は第２軟質弾性体上に置かれる。
【０００７】
ホルダーは断面Ｕ字状であり、そのホルダーでソケット本体の両側をフレキシブル回路基板を介して挟む。
【０００８】
検査用ソケット装置を使用する際、補助ソケットが用いられる。補助ソケットの上面から複数の接触ピンが突出している。接触ピンは雄ピンに結合されている。雄ピンの下部は補助ソケットの下面から突出している。雄ピンの下部はコネクタに挿入される。このコネクタは性能検査装置に接続される。
【０００９】
この検査用ソケット装置を用いて電子部品を検査するには、まず、補助ソケットの上面から突出した接触ピンに第２接触電極が接触するように、ソケット本体を補助ソケットに対して位置決めする。
【００１０】
次に、電子部品のリード端子が第１接触電極に接触するように、電子部品をソケット本体に対して位置決めする。
【００１１】
その後、押さえ体を電子部品に被せるとともに、この押さえ体によって電子部品のリード端子を第１接触電極に押し付ける。
【００１２】
このようにして、電子部品のリード端子は、フレキシブル回路基板を通じて補助ソケットの接触ピンに電気的に接続されるとともに、雄ピン及びコネクタを通じて性能検査装置に電気的に接続され、電子部品の性能検査が実施される。
【特許文献１】特開平８−１０５９３６号公報（段落００１０〜００１４参照）
【発明の開示】
【発明が解決しようとする課題】
【００１３】
上述の検査用ソケット装置を用いて電子部品を検査するには、上述のように電子部品のリード端子が第１接触電極に接触するように、電子部品をソケット本体上に正確に位置決めする必要がある。しかし、この作業を手作業で行うのは難しく、性能検査を効率良く行うことができないおそれがあった。
【００１４】
一方、検査用ソケット装置に対する電子部品の搬送作業を搬送装置で行うには、電子部品の位置決めの画像検査を行わなければならず、結果的に製造価格が上昇する虞がある。
【００１５】
この発明はこのような事情に鑑みてなされたもので、その課題は接続対象物を容易に位置決めすることができるコネクタを提供することである。
【課題を解決するための手段】
【００１６】
前述の課題を解決するため請求項１の発明のコネクタは、２つの接続対象物を電気的に接続するコネクタにおいて、絶縁プレートと、前記絶縁プレートの一方の面に設けられ、この面上に配置された前記２つの接続対象物のうちの一方の接続対象物の位置を決める第１突起部と、前記絶縁プレートの一方の面から他方の面へ設けられ、前記２つの接続対象物の端子部を導通させるための複数の導電路を有する接続用フィルムとを備えていることを特徴とする。
【００１７】
上述のように第１突起部により、絶縁プレートに対する２つの接続対象物のうちの一方の接続対象物の位置が決められる。
【００１８】
請求項２の発明は、請求項１記載のコネクタにおいて、前記ベースプレートの他方の面に設けられ、前記２つの接続対象物のうちの他方の前記接続対象物に設けられた位置決め穴に挿入可能な第２突起部を備えていることを特徴とする。
【００１９】
請求項３の発明は、請求項１又は２記載のコネクタにおいて、前記第１突起部が前記一方の接続対象物の平面形状に対応する四角形の枠体であることを特徴とする。
【００２０】
請求項４の発明は、請求項２又は３記載のコネクタにおいて、前記第２突起部が複数のピンであることを特徴とする。
【００２１】
請求項５の発明は、請求項１〜４のいずれか１項記載のコネクタにおいて、前記絶縁プレートの一方の面と前記接続用フィルムの導電路の一端部との間、前記絶縁プレートの他方の面と前記接続用フィルムの導電路の他端部との間にそれぞれ配置される弾性体を備えていることを特徴とする。
【００２２】
請求項６の発明は、請求項１〜５のいずれか１項記載のコネクタにおいて、前記絶縁プレートの両方の面に両面粘着テープが配置されていることを特徴とする。
【００２３】
請求項７の発明は、請求項１〜６のいずれか１項記載のコネクタにおいて、前記接続用フィルムはほぼ四角形の絶縁フィルムと、この絶縁フィルムの一方の面に形成された前記複数の導電路とで構成され、前記複数の導電路は前記絶縁フィルムの四隅に対角線と平行に配置されていることを特徴とする。
【００２４】
請求項８の発明は、請求項５〜７のいずれか１項記載のコネクタにおいて、前記弾性体が絶縁フィルムを介して前記絶縁プレートの両方の面上に保持されていることを特徴とする。
【発明の効果】
【００２５】
この発明のコネクタによれば、接続対象物を容易に位置決めすることができる。
【発明を実施するための最良の形態】
【００２６】
以下、この発明の実施の形態を図面に基づいて説明する。
【００２７】
図１はこの発明の第１実施形態に係るコネクタの斜視図、図２は図１に示すコネクタの分解斜視図（但し接続用フィルムを省略した）、図３は図１に示すコネクタから接続用フィルムを外してコネクタの一部を切断した状態を示す斜視図、図４は図１に示すコネクタの絶縁ハウジングの斜視図、図５は図１に示すコネクタの第１フィルムベースの斜視図、図６は図１に示すコネクタの両面粘着テープの斜視図、図７は図１に示すコネクタの接続用フィルムの斜視図、図８は図１に示すコネクタによってＣＣＤカメラモジュールがプリント配線基板に接続される前の状態を示す斜視図、図９は図１に示すコネクタによってＣＣＤカメラモジュールがプリント配線基板に接続された後の状態を示す斜視図である。
【００２８】
図８，９に示すように、このコネクタ１はＣＣＤ（charge-coupled device ）カメラモジュール（一方の接続対象物）１５のようなデバイスをプリント配線基板（他方の接続対象物）１６に接続するためのものである。
【００２９】
図１〜３に示すように、コネクタ１は絶縁ハウジング２０と第１フィルムベース３１と第２フィルムベース３２と両面粘着テープ５１と接続用フィルム７０とを備える。
【００３０】
図４に示すように、絶縁ハウジング２０はプレート部（絶縁プレート）２１とフレーム部（第１突起部）２２とを有する。プレート部２１は矩形である。フレーム部２２はプレート部２１の上面の周縁部に一体に形成された四角形の枠体である。フレーム部２２は、ＣＣＤカメラモジュール１５の平面形状、サイズに対応し、ＣＣＤカメラモジュール１５の二次元方向の位置を決める機能を有する。絶縁ハウジング２０の材料としては、例えば、ＰＰＳ（poly(phenylenesulfide)）が挙げられる。
【００３１】
図５に示すように、第１フィルムベース３１は絶縁フィルム４１と弾性体４２とから構成されている。第１フィルムベース３１は両面粘着テープ５１によってプレート部２１の上面に貼り付けられる。
【００３２】
絶縁フィルム４１はほぼ矩形であり、４つの角部４１ａを有する。角部４１ａはフレーム部２２の角部に当接する。これにより、絶縁フィルム４１はプレート部２１に対して位置決めされる。絶縁フィルム４１の材料としては、例えば、ポリイミド、ＰＥＴ(polyethylene terephthalate)が挙げられる。
【００３３】
弾性体４２はモールドイン成型により、絶縁フィルム４１の周縁部に形成されている。弾性体４２は複数のブロック状部４２ａと複数の連結部４２ｂとを有する。ブロック状部４２ａは後述する接続用フィルム７０の導電路７２の端部を支持する。連結部４２ｂはブロック状部４２ａ同士を連結する。弾性体４２の材料としては、例えば、シリコン系のゲルが挙げられる。
【００３４】
第２フィルムベース３２は第１フィルムベース３１と同じ構成であり、絶縁フィルム４１と弾性体４２とから構成されている。第２フィルムベース３２は両面粘着テープ５１によってプレート部２１の下面に貼り付けられる。
【００３５】
図２に示すように、図６の両面粘着テープ５１は絶縁フィルム４１上の弾性体４２に包囲された領域に配置可能な形状、サイズを有する。
【００３６】
図７に示すように、接続用フィルム７０は絶縁フィルム７１と複数の導電路７２とで構成されている。
【００３７】
絶縁フィルム７１はほぼ矩形に形成されている。絶縁フィルム７１の材料としては、例えば、ポリイミド、アラミドが挙げられる。
【００３８】
複数の導電路７２は絶縁フィルム７１の４つの角部にそれぞれ形成されている。各角部に形成された複数の導電路７２は互いに並行であり、しかも絶縁フィルム７２の対角線と平行に延びている。導電路７２は例えば、銅、銀等の金属をメッキやスパッタリング等によって絶縁フィルム７１上に形成される。なお、絶縁フィルム７１は透明であるので、導電路７２は裏側からも透けて見える。
【００３９】
接続用フィルム７０は接着剤（図示せず）又は両面粘着テープ（図示せず）によって絶縁ハウジング２０に貼り付けられる。このとき、接続用フィルム７０の４つの角部をフレーム部２２の四辺に巻くように折り曲げ、導電路７２の一端部７２ａを第１フィルムベース３１の弾性体４２のブロック状部４２ａ上に重ね、導電路７２の他端部を第２フィルムベース３２の弾性体４２のブロック状部４２ａ上に重ねる。
【００４０】
このコネクタ１を用いてＣＣＤカメラモジュール１５をプリント配線基板１６に電気的に接続するには、まず、図８に示すように、両面粘着テープ５２によってプリント配線基板１６の上面にコネクタ１を実装する。両面粘着テープ５２にはプリント配線基板１６の端子部１６ａを露出させるための４つの孔５２ａが形成されている。
【００４１】
次に、ＣＣＤカメラモジュール１５を両面粘着テープ５１を介して絶縁ハウジング２０に嵌合する。このとき、絶縁ハウジング２０のフレーム部２２がＣＣＤカメラモジュール１５の外周面を案内し、絶縁ハウジング２０のプレート部２１に対してＣＣＤカメラモジュール１５が位置決めされる。
【００４２】
図９に示すように、ＣＣＤカメラモジュール１５がコネクタ１に嵌合されたとき、第１フィルムベース３１の弾性体４２の弾力によって接続用フィルム７０の導電路７２の一端部７２ａとＣＣＤカメラモジュール１５の端子部（図示せず）とが互いに押し合い、第２フィルムベース３２の弾性体４２の弾力によって接続用フィルム７０の導電路７２の他端部７２ｂとプリント配線基板１６の端子部１６ａとが押し合う。以上のようにして、ＣＣＤカメラモジュール１５とプリント配線基板１６とが確実に電気的に接続される。
【００４３】
コネクタ１によれば、コネクタ１に対するＣＣＤカメラモジュール１５の位置決めを容易に行なうことができる。
【００４４】
また、第１突起部としてプレート部２１の上面にフレーム部２２を形成したので、ＣＣＤカメラモジュール１５をプレート部２１に対してより正確かつ確実に位置決めできる。
【００４５】
更に、第１、２フィルムベース３１，３２の弾性体４２の弾力によって接続用フィルム７０導電路７２の一端部７２ａとＣＣＤカメラモジュール１５の端子部とが安定的に接触し、また、接続用フィルム７０導電路７２の他端部７２ｂとプリント配線基板１６の端子部１６ａとが安定的に接触する。
【００４６】
弾性体４２はゲルからなり、たとえ損傷したとしても、弾性体４２は絶縁フィルム４１上に形成されているので、弾性体４２を絶縁フィルム４１ごと交換することができる。また、この交換作業のとき、絶縁フィルム４１の角部４１ａがフレーム部２２の角部に接触することにより、絶縁フィルム４１が正確に位置決めされるので、弾性体４２をプレート部２１に対して簡単かつ正確に位置決めすることができる。
【００４７】
また、弾性体４２を絶縁ハウジング２０と別体にしたので、弾性体４２と絶縁ハウジング２０とをモールドイン成型する場合に較べて、弾性体４２とフレーム部２２との間隔を狭くすることができ、その分、コネクタ１を小型化することができる。
【００４８】
更に、コネクタ１は絶縁ハウジング２０を除き、フィルム状の部材から構成されるので、コネクタ１を薄型化することができる。
【００４９】
また、両面粘着テープ５１でＣＣＤカメラモジュール１５をコネクタ１に貼り付けるようにしたので、コネクタ１に対するＣＣＤカメラモジュール１５の着脱を繰返すことができる。
【００５０】
更に、両面粘着テープ５２によってコネクタ１をプリント配線基板１６に実装するようにしたので、プリント配線基板１６に対するコネクタ１の着脱を繰返すことができる。
【００５１】
また、接続用フィルム７０を用いたので、ＦＰＣのように折り曲げ部分に丸みをつける必要が無く、接続用フィルム７０を絶縁ハウジング２０に密着させて貼り付けることができ、丸みを持たせることによってコネクタが大型化するのを防止することができる。
【００５２】
なお、この実施形態のコネクタ１はＣＣＤカメラモジュール１５とプリント配線板１６とを電気的に接続するものであるが、この発明のコネクタの用途はこれに限られず、例えば、プリント配線板同士を電気的に接続するコネクタとして適用することもできる。
【００５３】
図１０は第１実施形態に係るコネクタの一変形例の絶縁ハウジングの斜視図である。
【００５４】
図１０に示すように、この変形例では、絶縁ハウジング１１２０のプレート部２１の上面の各角部に第１突起部として２つの位置決めピン１１２２が形成されている。隣接する２つの位置決めピン１１２２はＣＣＤカメラモジュール１５の角部を挟み込み、ＣＣＤカメラモジュール１５を位置決めする。位置決めピン１１２２はテーパ部１１２２ａと円柱部１１２２ｂとを有する。テーパ部１１２２ａはＣＣＤカメラモジュール１５を所定位置に案内する。円柱部１１２２ｂはＣＣＤカメラモジュール１５を位置決めする。
【００５５】
この変形例によれば、第１実施形態に係るコネクタ１と同様の作用効果が得られとともに、位置決めピン１１２２のテーパ部によってＣＣＤカメラモジュール１５が所定位置に案内される。
【００５６】
図１１は第１実施形態に係るコネクタの他の変形例の絶縁ハウジングの斜視図である。
【００５７】
図１１に示すように、この変形例では、絶縁ハウジング１２２０のプレート部２１の上面の１つの角部に第１突起部としてほぼＬ字形の突片部１２２２が形成されている。
【００５８】
ＣＣＤカメラモジュール１５の１つの角部を突片部１２２２に押し当てるようにしてＣＣＤカメラモジュール１５をプレート部２１の上面に配置すれば、プレート部２１に対してＣＣＤカメラモジュール１５が位置決めされる。
【００５９】
この変形例によれば、第１実施形態に係るコネクタ１と同様の作用効果が得られとともに、絶縁ハウジング１２２０の構成を簡素にすることができる。
【００６０】
図１２はこの発明の第２実施形態に係るコネクタの分解斜視図、図１３は図１２に示すコネクタの一部を切断した状態を示す斜視図、図１４は図１２に示すコネクタの絶縁ハウジングの斜視図、図１５は図１２に示すコネクタの第１フィルムベースの斜視図、図１６は図１２に示すコネクタの両面粘着テープの斜視図、図１７は図１２に示すコネクタの接続用フィルムの斜視図、図１８は図１２に示すコネクタをプリント配線基板に実装する前の状態を示す斜視図である。
【００６１】
第１実施形態に係るコネクタ１と共通する部分については同一符号を付してその説明を省略する。以下、主な相違部分についてだけ説明する。
【００６２】
図１２〜１４に示すように、第２実施形態に係るコネクタ２０１の絶縁ハウジング２２０では、プレート部２１の下面に２つの位置決めピン（第２突起部）２２３が形成されている。位置決めピン２２３はプリント配線基板２１６（図１８参照）に形成された位置決め孔２１６ｂに挿入される。
【００６３】
図１５に示すように、第１、２フィルムベース２３１，２３２の絶縁フィルム２４１には位置決め孔２４１ａが形成されている。位置決め孔２４１ａには位置決めピン２２３が通される。したがって、第１フィルムベース２３１には位置決め孔２４１ａは必要でないが、部品の種類を少なくするために、第２フィルムベース２３２と共通にしてある。
【００６４】
図１６に示すように、両面粘着テープ２５１には位置決め孔２５１ａが形成されている。この位置決め孔２５１ａには位置決めピン２２３を通すことができる。プレート部２１の上面側で用いられる両面粘着テープ２５１（図１８参照）には位置決め孔２５１ａは必要でないが、部品の種類を少なくするために、プレート部２１の上面側でも下面側と同じ両面粘着テープ２５１を用いている。
【００６５】
図１７に示すように、接続用フィルム２７０の絶縁フィルム２７１には、位置決め孔２７１ａが形成されている。位置決め孔２７１ａには位置決めピン２２３が通される。
【００６６】
コネクタ２０１をプリント配線基板２１６に実装するには、図１８に示すように、予めプリント配線基板２１６の上面に両面粘着テープ２５２を貼り付けておく。両面粘着テープ２５２にはプリント配線基板２１６の端子部１６ａを露出させるための４つの孔２５２ａが形成されている。
【００６７】
次に、絶縁ハウジング２２０の位置決めピン２２３をプリント配線基板２１６の位置決め孔２１６ｂに挿入する。このとき、コネクタ１はプリント配線基板２１６に対して位置決めされる。
【００６８】
最後に、絶縁ハウジング２２０の下面を両面粘着テープ２５２に押し付ける。これにより、絶縁ハウジング２２０がプリント配線基板２１６に貼り付けられ、コネクタ１がプリント配線基板２１６に実装される。
【００６９】
第２実施形態に係るコネクタ２０１によれば、第１実施形態に係るコネクタ１と同様の作用効果が得られるとともに、コネクタ２０１をプリント配線基板に対して簡単かつ正確に位置決めすることができる。
【図面の簡単な説明】
【００７０】
【図１】図１はこの発明の第１実施形態に係るコネクタの斜視図である。
【図２】図２は図１に示すコネクタの分解斜視図である。
【図３】図３は図１に示すコネクタから接続用フィルムを外してコネクタの一部を切断した状態を示す斜視図である。
【図４】図４は図１に示すコネクタの絶縁ハウジングの斜視図である。
【図５】図５は図１に示すコネクタの第１フィルムベースの斜視図である。
【図６】図６は図１に示すコネクタの両面粘着テープの斜視図である。
【図７】図７は図１に示すコネクタの接続用フィルムの斜視図である。
【図８】図８は図１に示すコネクタによってＣＣＤカメラモジュールがプリント配線基板に接続される前の状態を示す斜視図である。
【図９】図９は図１に示すコネクタによってＣＣＤカメラモジュールがプリント配線基板に接続された後の状態を示す斜視図である。
【図１０】図１０は第１実施形態に係るコネクタの一変形例の絶縁ハウジングの斜視図である。
【図１１】図１１は第１実施形態に係るコネクタの他の変形例の絶縁ハウジングの斜視図である。
【図１２】図１２はこの発明の第２実施形態に係るコネクタの分解斜視図である。
【図１３】図１３は図１２に示すコネクタの一部を切断した状態を示す斜視図である。
【図１４】図１４は図１２に示すコネクタの絶縁ハウジングの斜視図である。
【図１５】図１５は図１２に示すコネクタの第１フィルムベースの斜視図である。
【図１６】図１６は図１２に示すコネクタの両面粘着テープの斜視図である。
【図１７】図１７は図１２に示すコネクタの接続用フィルムの斜視図である。
【図１８】図１８は図１２に示すコネクタをプリント配線基板に実装する前の状態を示す斜視図である。
【符号の説明】
【００７１】
１，２０１  コネクタ
２０，２２０  絶縁ハウジング
２１  プレート部（絶縁プレート）
２２  フレーム部（第１突起部）
２２３  位置決めピン（第２突起部）
４１，２４１  絶縁フィルム
４２  弾性体
５１，２５１  両面粘着テープ
７０，２７０  接続用フィルム
７１，２７１  絶縁フィルム
７２  導電路
７２ａ  一端部
７２ｂ  他端部
１５  ＣＣＤカメラモジュール（一方の接続対象物）
１６，２１６  プリント配線基板（他方の接続対象物）
２１６ｂ  位置決め孔
【図１】
2006318726.tif 000003
【図２】
2006318726.tif 000004
【図３】
2006318726.tif 000005
【図４】
2006318726.tif 000006
【図５】
2006318726.tif 000007
【図６】
2006318726.tif 000008
【図７】
2006318726.tif 000009
【図８】
2006318726.tif 000010
【図９】
2006318726.tif 000011
【図１０】
2006318726.tif 000012
【図１１】
2006318726.tif 000013
【図１２】
2006318726.tif 000014
【図１３】
2006318726.tif 000015
【図１４】
2006318726.tif 000016
【図１５】
2006318726.tif 000017
【図１６】
2006318726.tif 000018
【図１７】
2006318726.tif 000019
【図１８】
2006318726.tif 000020